(57)【要約】【課題】待機時電力を低減する状態を長時間維持すること。【解決手段】電圧変換部２１２は、開閉器２１１を介して供給される電源に対して電圧変換処理を施した所定電圧電源を信号処理制御部４０へ供給する。蓄電源２１４は、充電制御部２１３が所定電圧電源を利用して充電処理した充電電源を電源制御部１１０へ供給する。電源部１００は、信号受信部２０１が受信し、信号識別部２０２が識別するテレビジョン受像機１０の電源制御に関する信号に応じて、電源制御部１１０から入力される開閉情報に基づいて、所定電圧電源の供給のＯＮ／ＯＦＦを切り替える。また、開閉制御部２０３が、開閉部２１１に対して電源供給経路を閉じるように制御する場合、電源制御部１１０は、電源制御部１１０自身に備えられ、信号処理制御部４０に備えられた制御部（不図示）と通信する通信部２０４へのクロックを停止することで、通信部２０４を非動作とする。【選択図】  図２
2011076135.tif 000002
【特許請求の範囲】
【請求項１】
外部から供給される電源に基づいて生成され、信号処理手段に供給される所定電圧の供給電源の供給を制御する電源制御装置であって、
前記供給電源のオン／オフを切り替える信号を遠隔操作機器から受信する受信手段と、
前記受信手段が受信する前記信号に応じて、前記供給電源の供給をオン／オフを切り替える制御手段と、
前記制御手段が前記供給電源の供給をオンに切り替えた場合に動作する前記信号処理手段と通信する通信手段と、
を具備し、
前記制御手段は、前記供給電源がオフの場合には前記通信手段が非動作状態となり、前記供給電源がオンの場合には前記通信手段が動作状態となるように制御することを特徴とする電源制御装置。
【請求項２】
前記供給電源がオフの場合に、前記受信手段および前記制御手段は、前記供給電源がオンのときに当該供給電源の電力に基づいて充電される蓄電源によって動作することを特徴とする請求項１記載の電源制御装置。
【請求項３】
前記制御手段は、前記電源を供給する経路のうち供給元に近い経路であって、前記電源に対して所定の電圧変換がなされる前の経路を開閉して前記供給電源のオン／オフを制御することを特徴とする請求項２記載の電源制御装置。
【請求項４】
前記制御手段は、前記通信手段へのクロックの供給を停止して、前記通信手段が非動作状態となるように制御することを特徴とする請求項２記載の電源制御装置。
【請求項５】
前記制御手段は、前記通信手段への電源供給を停止して、前記通信手段が非動作状態となるように制御することを特徴とする請求項２記載の電源制御装置。
【請求項６】
請求項１乃至５の何れか１項の電源制御装置を備えることを特徴とする電子機器。
【請求項７】
外部から供給される電源に基づいて生成され、信号処理手段に供給される所定電圧の供給電源の供給を制御する電源制御方法であって、
前記供給電源のオン／オフを切り替える信号を遠隔操作機器から受信し、
受信する前記信号に応じて、前記供給電源の供給をオン／オフを切り替え、
前記供給電源の供給をオンに切り替えた場合に動作する前記信号処理手段と通信し、
前記供給電源がオフの場合には前記通信が非動作状態となり、前記供給電源がオンの場合には前記通信が動作状態となるように制御することを特徴とする電源制御方法。
【発明の詳細な説明】
【技術分野】
【０００１】
本発明は、電源の供給をＯＮ／ＯＦＦするように制御する電源制御装置、電子機器および電源制御方法に関する。
【背景技術】
【０００２】
テレビジョン受像機やＨＤＤレコーダなどの電子機器は、この電子機器の動作状態として、ほぼ全ての機能部が動作可能な動作状態と、主たる機能部は動作せず、リモコンからの制御信号受信や計時などの機能のみが動作する待機状態とを有する場合がある。
【０００３】
そして、近年、電子機器の待機状態の消費電力（待機時電力とも称する）を低減することが期待されていて、この期待に対応する様々な手法が提案されている。
例えば、特許文献１によれば、主にリモコン受信を行う小規模な低消費電力のスタンバイマイコンと、テレビジョン受像機の制御を行う高速なメインマイコンとを個別に構成して、スタンバイ状態にはメインマイコンへの電圧供給を切断してスタンバイマイコンのみを動作させるようにして待機時電力を低減する手法が開示されている。
【０００４】
また、特許文献２によれば、映像制御装置及びテレビジョン受像機で、リモコンからの操作で電源オフの指令を受け取ると、様々な処理を実行するマイコンのクロックを停止して待機時電力を低減する手法が開示されている。
【先行技術文献】
【特許文献】
【０００５】
【特許文献１】特開２０００−０４７７６４号公報  （図１  段落００２７）
【特許文献２】実用新案登第３０７２６１２号公報  （図４  段落００１７）
【発明の概要】
【発明が解決しようとする課題】
【０００６】
しかし、特許文献１では、スタンバイ状態では、スタンバイマイコンへの電源供給がされていて、スタンバイマイコンが小規模のマイコンであり通電時の消費電力が小さいとしても、待機時電力の低減の余地は依然として残されていた。
【０００７】
また、特許文献２では、電源がオフ時では、クロックは停止されたもののマイコンへの電源は供給されたままとなっていたので、マイコンの消費電力の低減は期待できず、待機時電力は充分に低減されたとはいい難かった。さらに、リモコン受光器に対する待機時電力の低減は考慮されていなかった。
【０００８】
すなわち、従来は、待機時電力を低減する状態を長時間維持することはできなかった。
そこで本発明は上述した課題を解決するために、待機時電力を低減する状態を長時間維持することができる電源制御装置、電子機器および電源制御方法を提供することを目的とする。
【課題を解決するための手段】
【０００９】
本発明は上述した課題を解決するため、外部から供給される電源に基づいて生成され、信号処理手段に供給される所定電圧の供給電源の供給を制御する電源制御装置であって、前記供給電源のオン／オフを切り替える信号を遠隔操作機器から受信する受信手段と、前記受信手段が受信する前記信号に応じて、前記供給電源の供給をオン／オフを切り替える制御手段と、前記制御手段が前記供給電源の供給をオンに切り替えた場合に動作する前記信号処理手段と通信する通信手段とを具備し、前記制御手段は、前記供給電源がオフの場合には前記通信手段が非動作状態となり、前記供給電源がオンの場合には前記通信手段が動作状態となるように制御することを特徴とするものである。
【００１０】
また本発明は上述した課題を解決するため、外部から供給される電源に基づいて生成され、信号処理手段に供給される所定電圧の供給電源の供給を制御する電源制御方法であって、前記供給電源のオン／オフを切り替える信号を遠隔操作機器から受信し、受信する前記信号に応じて、前記供給電源の供給をオン／オフを切り替え、前記供給電源の供給をオンに切り替えた場合に動作する前記信号処理手段と通信し、前記供給電源がオフの場合には前記通信が非動作状態となり、前記供給電源がオンの場合には前記通信が動作状態となるように制御することを特徴とするものである。
【発明の効果】
【００１１】
本発明によれば、待機時電力を低減する状態を長時間維持することができる。
【図面の簡単な説明】
【００１２】
【図１】本発明の第１の実施形態に係る電源制御装置を備える電子機器であるテレビジョン受像機の構成を示すブロック図。
【図２】本第１の実施形態における、電源制御処理および動作制御処理を実行する各ブロックによるシステム構成図。
【図３】図２で説明した本第１の実施形態における各ブロックによって実行される電源制御処理による、各ブロックの出力、状態、または動作などを比較して示す表。
【図４】本第２の実施形態における、電源制御処理および動作制御処理を実行する各ブロックによるシステム構成図。
【図５】図４で説明した本第２の実施形態における各ブロックによって実行される電源制御処理による、各ブロックの出力、状態、または動作などを比較して示す表。
【図６】本第３の実施形態における、電源制御処理および動作制御処理を実行する各ブロックによるシステム構成図。
【図７】図６で説明した本第３の実施形態における各ブロックによって実行される電源制御処理による、各ブロックの出力、状態、または動作などを比較して示す表。
【発明を実施するための形態】
【００１３】
以下、本発明における実施形態について図面を用いて説明する。
（第１の実施形態）
図１は、本発明の第１の実施形態に係る電源制御装置を備える電子機器であるテレビジョン受像機１０の構成を示すブロック図である。
本第１の実施形態に係るテレビジョン受像機１０は、放送波処理部２０、外部機器ＩＦ部３１、信号処理制御部４０、操作部５１、表示器６１、スピーカ６２、電源部１００、電源制御部１１０などで構成されている。また、放送波処理部２０にはアンテナＡＴが接続されていて、電源部１００は宅内コンセントなどに接続される。さらに、電源制御部１１０は操作機器ＣＤと情報のやりとりを行う。例えば、操作機器ＣＤは、赤外線リモコンや無線通信機器などの遠隔操作機器である。
【００１４】
このテレビジョン受像機１０は、電源部１００に接続される宅内コンセントなどから供給される電源に基づいて動作する。そして、テレビジョン受像機１０は、操作機器ＣＤから入力される電源のＯＮ／ＯＦＦを切り替える信号に応じて、テレビジョン受像機１０のほとんどのブロックへ供給される電源のＯＮ／ＯＦＦを切り替える。また、このテレビジョン受像機１０は、ほとんどのブロックが、電源の供給がされずに動作しないときに、特定の電源を供給されて動作する特定のブロックの一部を非動作とする。
【００１５】
電源部１００は、宅内コンセントなどから供給される電源に基づいて、ＡＣ／ＤＣ変換やＤＣ／ＤＣ変換などの電圧変換処理を施して所定電圧電源を生成する。そして、この電源部１００は、生成した所定電圧電源を、信号処理制御部４０を含むテレビジョン受像機１０のほとんどのブロックへ供給する。また電源部１００は、電源制御部１１０から入力される制御信号に基づいて、所定電圧電源の供給のＯＮ／ＯＦＦを切り替える電源制御処理を施す。さらに電源部１００は、所定電圧電源の電力に基づいて蓄電源に充電する充電処理を施して、電源として利用する充電電源を生成する。そして、この電源部１００は、電源制御処理によって所定電圧電源の供給をＯＦＦしているときには、この生成した充電電源を電源制御部１１０へ供給する。
【００１６】
電源制御部１１０は、操作機器ＣＤとの間で情報のやりとりをして、この情報に応じて信号処理制御部４０と通信する。また、この電源制御部１１０は、操作機器ＣＤから入力された情報に基づいて、所定電圧電源の供給のＯＮ／ＯＦＦを切り替える制御信号を電源部１００へ出力する。さらに、電源制御部１１０は、電源部１００が、所定電圧電源の供給をＯＦＦしているときに、電源部１００から供給される充電電源によって動作し、さらに、電源制御部１１０自身に備えられた特定のブロックを非動作とする動作制御処理を施す。この電源制御部１１０は、電源部１００が、所定電圧電源の供給をＯＮしているときには、電源部１００から供給される所定電圧電源によって動作する。
【００１７】
これ以降で説明する各ブロックのほとんどは、電源部１００から供給される所定電圧電源で動作する。従って、電源部１００が、電源制御処理によって所定電圧電源の供給をＯＦＦしているときには、これ以降で説明する各ブロックのほとんどは動作しなくなる。
【００１８】
放送波処理部２０は、アンテナＡＴによって受信された地上または衛星によるデジタル放送波やアナログ放送波に対応するチューナおよびデコーダを有する。この放送波処理部２０は、アンテナＡＴが受信した信号を取得して、この取得した信号に対して特定チャンネルの選局処理および復調復号処理を施し、番組の映像音声情報や番組関連情報などが含まれる信号を信号処理制御部４０に出力する。なお番組関連情報は、番組に関するチャンネル番号や、放送波、放送局名、番組名、ジャンルなどの情報である。
【００１９】
外部機器ＩＦ部３１は、ＨＤＭＩ（登録商標）規格やＵＳＢ規格、ＩＥＥＥ１３９４規格などの様々な規格に準じた接続部によりテレビジョン受像機１０の外部機器や、外部ＨＤＤやメモリカードなどの記録媒体などに接続する。そして、外部機器ＩＦ部３１は、この接続した外部機器や記録媒体などから提供される複数の番組の映像音声情報や番組関連情報などが含まれる信号を取得して信号処理制御部４０へ出力する。
【００２０】
操作部５１は、テレビジョン受像機１０を操作する操作入力の情報を受信して信号処理制御部４０へ出力する。
信号処理制御部４０は、操作部５１や電源制御部１１０からの操作入力などの情報に基づいて、放送波処理部２０や外部機器ＩＦ部３１などから入力された情報に対して、圧縮されたデータの伸張処理などの様々な処理や、番組表を作成するための情報抽出処理を施す。この信号処理制御部４０は、取得された情報に対して、ＭＰＥＧ符号化／復号化演算処理や、映像信号と音声信号の分離処理などの様々な処理を施して表示器６１へ映像信号を出力し、スピーカ６２へ音声信号を出力する。また、信号処理制御部４０は制御部として、ＣＰＵまたはマイコン（不図示）を備えていて、信号処理制御部４０自身に備えられた各モジュールや信号処理制御部４０自身に接続された各モジュールを利用して複数の処理の実行を制御する。
【００２１】
本第１の実施形態では、信号処理制御部４０は、電源制御部１１０と操作機器ＣＤとの間でやりとりする操作入力の情報に応じて電源制御部１１０と通信して、操作機器ＣＤからの操作入力の情報に対応する様々な処理を実行する。また、前述したように、信号処理制御部４０は、電源部１００から供給される所定電圧電源によって動作する。しかし、電源部１００が、所定電圧電源の供給をＯＦＦしているときには、この信号処理制御部４０は、動作すること、すなわち電源制御部１１０と通信することができなくなる。
【００２２】
表示器６１は、信号処理制御部４０から入力された映像信号を表示する表示モジュールである。例えば、表示器６１は、液晶ディスプレイ（Liquid  Crystal  Display；以下、ＬＣＤとも称する）やＰＤＰ（Plasma  Display  Panel）などの薄型ディスプレイである。
【００２３】
スピーカ６２は、信号処理制御部４０から入力された音声信号を出力する。
なお、本第１の実施形態は、本発明に係る構成を適用した電源制御装置を備える電子機器として、テレビジョン受像機を例とした形態である。しかし、本第１の実施形態に係る電子機器と同様の構造の、ＨＤＤレコーダ、ＤＶＤレコーダ、パーソナルコンピュータ、携帯移動端末などを例とした形態であっても構わない。また、テレビ放送や衛星放送だけでなく、ラジオ放送やインターネット等を用いた有線放送などを受信して映像信号を出力する映像出力装置であるセットトップボックスなどを例とした実施形態であってもよい。
【００２４】
このような構成により、本発明の第１の実施形態に係るテレビジョン受像機１０の各ブロックは、電源部１００を介して供給される２種類の電源により動作する。また、テレビジョン受像機１０が、２種類の電源のうちの一方であり、ほとんどのブロックへ供給される電源の供給のＯＮ／ＯＦＦを制御する処理を実行することで、待機時電力を低減することができる。さらに、この電源の供給がＯＦＦされているときに、他方の電源で動作する特定のブロックの一部を非動作とする処理を実行するので、待機状態を長時間維持することができる。
【００２５】
そして、これらの処理は、電源部１００を介して供給される電源に基づいて、主に電源制御部１１０が実行するものである。
次に、図２を用いて、図１で説明した電源部１００および電源制御部１１０に備えられ、電源制御処理および動作制御処理を実行する各ブロックを説明する。
図２は、本第１の実施形態における、電源制御処理および動作制御処理を実行する各ブロックによるシステム構成図である。
前述したとおり、この電源制御処理は、電源制御部１１０から入力される制御信号に基づいて、電源部１００が、所定電圧電源の供給のＯＮ／ＯＦＦを切り替える処理である。また、動作制御処理は、所定電圧電源の供給がＯＦＦとなるように制御されている場合に、電源制御部１１０が、電源制御部１１０自身に備えられた特定のブロックを非動作とする処理である。
【００２６】
本第１の実施形態に係る電源部１００は、開閉部２１１、電圧変換部２１２、充電制御部２１３、蓄電源２１４などを備えている。また、本第１の実施形態に係る電源制御部１１０は、信号受信部２０１、信号識別部２０２、開閉制御部２０３、通信部２０４、クロック生成部２０５などを備えている。このクロック生成部２０５は、クロック供給部２０６と接続される。
【００２７】
まず、電源部１００に備えられた各ブロックを説明する。
開閉部２１１は、信号処理制御部４０に電源を供給する電源供給経路を開閉する開閉部品である。この開閉部２１１は、開閉制御部２０３から入力される情報に基づいて、電源供給経路を開閉する。例えば、開閉部２１１は、リレーや機械スイッチなどを適用することができるが、本第１の実施形態では、開閉部２１１をリレーに適用した例として説明する。
【００２８】
電圧変換部２１２は、開閉器２１１を介して供給される電源に対して、ＡＣ／ＤＣ変換やＤＣ／ＤＣ変換などの電圧変換処理を施し、電圧変換処理を施された所定電圧電源を充電制御部２１３へ供給する。また、電圧変換部２１２は、この所定電圧電源を、テレビジョン受像機１０の各ブロックへも供給する。
【００２９】
充電制御部２１３は、所定電圧電源の供給がＯＮされているときには、電圧変換部２１２から供給された所定電圧電源の電力に基づいて、蓄電源２１４に充電する充電処理を実行する。しかし、充電制御部２１３は、所定電圧電源の供給がＯＮされていても、蓄電源２１４が満充電の状態の場合は、充電処理の実行を停止する。この充電制御部２１３は、所定電圧電源の供給がＯＦＦされているときにも、充電処理の実行を停止する。
【００３０】
蓄電源２１４は、所定電圧電源の供給がＯＮされているときに、充電制御部２１３が実行する充電処理により充電され、所定電圧電源の供給がＯＦＦされているときに、電源として利用される充電電源である。つまり、この蓄電源２１４は、所定電圧電源の供給がＯＦＦされているときに、充電電源として電源制御部１１０の各ブロックへ供給される。また、蓄電源２１４は、所定電圧電源の供給がＯＮされているときには、電源として利用されずに、充電制御部２１３による充電処理により充電され、満充電状態となると、所定電圧電源を供給するように動作する。例えば蓄電源２１４は、所定の容量の電気２重層コンデンサなどを適用することができる。
【００３１】
次に、電源制御部１１０に備えられた各ブロックを説明する。
信号受信部２０１は、操作機器ＣＤから送信される、テレビジョン受像機１０を操作する操作入力に関する信号を受信して、受信した信号に所定の処理を施した情報を信号識別部２０２へ出力する。例えば、操作機器ＣＤが赤外線リモコンであれば、信号受信部２０１は、操作機器ＣＤから送信される赤外線の信号に光電変換を施し、変換された情報を信号識別部２０２へ出力する。また、信号受信部２０１は、テレビジョン受像機１０の状態を示す情報などを操作機器ＣＤへ送信してもよい。
【００３２】
信号識別部２０２は、信号受信部２０１から入力された情報を識別し、この識別結果に応じて、識別結果に対応する識別情報を、開閉制御部２０３または通信部２０４へ出力する。具体的には、入力された情報が、テレビジョン受像機１０の特定のブロックへの電源の供給のＯＮ／ＯＦＦを制御する情報であることを識別した場合、信号識別部２０２は、この識別情報を開閉制御部２０３へ出力する。また、信号識別部２０２は、クロック生成部２０５から所定のクロックを供給される。なお、信号識別部２０２は、識別情報を、開閉制御部２０３または通信部２０４ではなく、信号処理制御部４０へ直接的に出力してもよい。
【００３３】
開閉制御部２０３は、信号識別部２０２から入力される識別情報または、通信部２０４から入力される情報に基づき、電源供給経路の開閉を制御する開閉情報を、開閉部２１１およびクロック生成部２０５へ出力する。また、開閉制御部２０３は、クロック生成部２０５から所定のクロックを供給される。
【００３４】
通信部２０４は、信号識別部２０２から入力された識別情報に基づき、信号処理制御部４０に備えられた制御部（不図示）と通信する。また、通信部２０４は、信号処理制御部４０に備えられた制御部（不図示）と通信した情報を、信号識別部２０２または開閉制御部２０３へ出力する。この通信部２０４は、クロック生成部２０５から所定のクロックを供給される。
【００３５】
クロック生成部２０５は、クロック供給部２０６から供給されるクロックに基づいて、周波数の分周などの処理を施して複数のクロックを生成して、電源制御部１１０に備えられた各ブロックへ供給する。また、クロック生成部２０５は、開閉制御部２０３から入力される開閉情報に基づいて、所定のクロックの供給／供給の停止を制御する。具体的には、クロック生成部２０５は、開閉制御部２０３から電源供給経路を開ける開閉情報を入力された場合、通信部２０４へのクロックの供給を停止するように制御する。逆に、クロック生成部２０５は、開閉制御部２０３から電源供給経路を閉じる開閉情報を入力された場合、通信部２０４へのクロックを供給するように制御する。
【００３６】
クロック供給部２０６は、水晶やセラミックなどの発振素子を利用した発振回路などにより所定のクロックを生成して、このクロックをクロック生成部２０５へ供給する。なお本第１の実施形態では、クロック供給部２０６は、電源制御部１１０の外部に備えられているが、発振回路の一部が電源制御部１１０の内部に構成される実施形態であってもよい。
【００３７】
すなわち、電源部１００は、操作機器ＣＤからの信号を受信した電源制御部１１０から入力される開閉情報に基づいて、所定電圧電源の供給のＯＮ／ＯＦＦを切り替える。また、開閉制御部２０３が、開閉部２１１に対して電源供給経路を閉じるように制御する場合、すなわち、所定電圧電源の供給がＯＦＦとなるように制御される場合に、電源制御部１１０は、電源制御部１１０自身に備えられた通信部２０４へのクロックの供給を停止することで、通信部２０４を非動作とする。
【００３８】
このようなシステムの構成により、本発明の第１の実施形態に係る電源制御部１１０が、電源制御装置として構成されて、電源部１００が供給する各種電源に対する電源制御処理および、電源制御部１１０自身に対する動作制御処理が実行されるので、待機時電力を低減する状態を長時間維持することができる。
【００３９】
次に、図３を用いて、図２で説明した本第１の実施形態における各ブロックによって実行される電源制御処理による、各ブロックの出力、状態、または動作などを説明する。
【００４０】
図３は、図２で説明した本第１の実施形態における各ブロックによって実行される電源制御処理による、各ブロックの出力、状態、または動作などを比較して示す表である。
【００４１】
前述したとおり、この電源制御処理は、電源制御部１１０から入力される制御信号に基づいて、電源部１００が、所定電圧電源の供給のＯＮ／ＯＦＦを切り替える処理である。
【００４２】
そして、図３に示す表のように、電源制御処理によって所定電圧電源の供給が「ＯＮ」に切り替えられる場合、開閉制御部２０３から入力される開閉情報に基づいて、開閉部２１１は、電源供給経路を「閉」とする。また、電源部１００は、所定電圧電源および充電電源を、テレビジョン受像機１０の各ブロック「全てに出力」する。さらに、クロック生成部２０５は、生成した複数のクロックを、電源制御部１１０に備えられた各ブロック「全てに供給」する。そして、充電電源および所定のクロックを供給される通信部２０４は、「動作」の状態となる。
【００４３】
一方、電源制御処理によって所定電圧電源の供給が「ＯＦＦ」に切り替えられる場合、開閉制御部２０３から入力される開閉情報に基づいて、開閉部２１１は、電源供給経路を「開」とする。また、電源部１００は、所定電圧電源をテレビジョン受像機１０の各ブロックへ供給されず、具体的には、電源部１００は、所定電圧電源の「信号処理制御部４０への出力を停止」する。さらに、クロック生成部２０５は、生成した複数のクロックを、電源制御部１１０に備えられた全てのブロックへは供給せずに特定のブロックへの供給を停止、すなわち、「通信部２０４への供給を停止」する。そして、所定のクロックを供給されない通信部２０４は、「非動作」の状態となる。
【００４４】
このようにして、電源部１００および電源制御部１１０に備えられる各ブロックの出力、状態、または動作が、電源制御処理によって切り替わり、所定電圧電源の供給が「ＯＦＦ」に切り替わったときには、待機時電力を低減する状態を長時間維持することができる。
【００４５】
（第２の実施形態）
次に、図４を用いて、図１で説明した電源部１００および電源制御部１１０に備えられ、電源制御処理および動作制御処理を実行する各ブロックを説明する。
図２は、本第２の実施形態における、電源制御処理および動作制御処理を実行する各ブロックによるシステム構成図である。
本第２の実施形態のシステム構成図は、図２に示した第１の実施形態のシステム構成図に対して、電源制御部１１０が、２つのクロック生成部Ａ４０５，Ｂ４０７および、２つのクロック供給部Ａ４０６，Ｂ４０８を備えている点で異なる。これ以降では、図２に示したシステム構成図と同様な箇所の説明は省略または簡略化し、主に異なる点について詳細に説明する。
【００４６】
本第２の実施形態に係る電源部１００は、開閉部２１１、電圧変換部２１２、充電制御部２１３、蓄電源２１４などを備えているが、これらのブロックは、図２に示した第１の実施形態の各ブロックと同じ構成であるので詳細な説明は省略する。
【００４７】
また、本第２の実施形態に係る電源制御部１１０は、信号受信部４０１、信号識別部４０２、開閉制御部４０３、通信部４０４、クロック生成部Ａ４０５，Ｂ４０７などを備えている。クロック生成部Ａ４０５はクロック供給部Ａ４０６と接続され、クロック生成部Ｂ４０７はクロック供給部Ｂ４０８と接続される。
【００４８】
信号受信部４０１、信号識別部４０２、開閉制御部４０３、および通信部４０４の構成および動作は、図２に示した信号受信部２０１、信号識別部２０２、開閉制御部２０３、および通信部２０４の構成および動作とほぼ同様であるので、詳細な説明は省略する。
【００４９】
つまり、開閉制御部４０３は、信号受信部４０１が受信するテレビジョン受像機１０の電源制御に関する信号に応じて、信号識別部４０２から入力される識別情報などに基づいて、電源部１００に備えられる開閉部２１１が電源供給経路を開閉するように制御する。また、通信部４０４は、信号処理制御部４０に備えられた制御部（不図示）と通信する。さらに、信号識別部４０２および開閉制御部４０３は、クロック生成部Ｂ４０７から所定のクロックを供給され、通信部４０４は、クロック生成部Ａ４０５から所定のクロックを供給される。
【００５０】
クロック生成部Ａ４０５は、クロック供給部Ａ４０６から供給されるクロックに基づいて、周波数の分周などの処理を施して所定のクロックを生成して、通信部４０４へ供給する。このクロック生成部Ａ４０５は、開閉制御部４０３から入力される開閉情報に基づいて、所定のクロックの供給／供給の停止を制御する。具体的には、クロック生成部Ａ４０５は、開閉制御部４０３から電源供給経路を開ける開閉情報を入力された場合、通信部４０４へのクロックの供給を停止するように制御する。逆に、クロック生成部Ａ４０５は、開閉制御部４０３から電源供給経路を閉じる開閉情報を入力された場合、通信部４０４へのクロックを供給するように制御する。
【００５１】
クロック生成部Ｂ４０７は、クロック供給部Ｂ４０８から供給されるクロックに基づいて、周波数の分周などの処理を施して所定のクロックを生成して、信号識別部４０２および開閉制御部４０３へ供給する。このクロック生成部Ｂ４０７は、開閉制御部４０３が出力する開閉情報に依拠せずに、所定のクロックを生成して各ブロックへ供給する。
【００５２】
クロック供給部Ａ４０６は、水晶やセラミックなどの発振素子を利用した発振回路などにより所定のクロックを生成して、このクロックをクロック生成部Ａ４０５へ供給する。同様に、クロック供給部Ｂ４０８は、水晶やセラミックなどの発振素子を利用した発振回路などにより所定のクロックを生成して、このクロックをクロック生成部Ｂ４０７へ供給する。なお本第２の実施形態では、クロック供給部Ａ４０６、Ｂ４０８は、電源制御部１１０の外部に備えられているが、発振回路の一部が電源制御部１１０の内部に構成される実施形態であってもよい。
【００５３】
すなわち、本第２の実施形態においても、電源部１００は、操作機器ＣＤからの信号を受信した電源制御部１１０から入力される開閉情報に基づいて、所定電圧電源の供給のＯＮ／ＯＦＦを切り替える。また、開閉制御部４０３が、開閉部２１１に対して電源供給経路を閉じるように制御する場合、すなわち、所定電圧電源の供給がＯＦＦとなるように制御される場合に、電源制御部１１０は、電源制御部１１０自身に備えられた通信部４０４へのクロックの供給を停止することで、通信部４０４を非動作とする。
【００５４】
このようなシステムの構成により、本発明の第２の実施形態に係る電源制御部１１０が、電源制御装置として構成されて、電源部１００が供給する各種電源に対する電源制御処理および、電源制御部１１０自身に対する動作制御処理が実行されるので、待機時電力を低減する状態を長時間維持することができる。
【００５５】
次に、図５を用いて、図４で説明した本第２の実施形態における各ブロックによって実行される電源制御処理による、各ブロックの出力、状態、または動作などを説明する。
【００５６】
図５は、図４で説明した本第２の実施形態における各ブロックによって実行される電源制御処理による、各ブロックの出力、状態、または動作などを比較して示す表である。
【００５７】
そして、図４に示す表のように、電源制御処理によって所定電圧電源の供給が「ＯＮ」に切り替えられる場合、開閉制御部４０３から入力される開閉情報に基づいて、開閉部２１１は、電源供給経路を「閉」とする。また、電源部１００は、所定電圧電源および充電電源を、テレビジョン受像機１０の各ブロック「全てに出力」する。さらに、クロック生成部Ａ４０５は、生成したクロックを通信部４０４に「供給」し、クロック生成部Ｂ４０７は、生成した複数のクロックを、信号識別部４０２および開閉制御部４０３の「全てに供給」する。そして、充電電源およびクロック生成部Ａ４０５からクロックを供給される通信部４０４は、「動作」の状態となる。
【００５８】
一方、電源制御処理によって所定電圧電源の供給が「ＯＦＦ」に切り替えられる場合、開閉制御部４０３から入力される開閉情報に基づいて、開閉部２１１は、電源供給経路を「開」とする。また、電源部１００は、所定電圧電源をテレビジョン受像機１０の各ブロックへ供給できず、具体的には、電源部１００は、所定電圧電源の「信号処理制御部４０への出力を停止」する。さらに、クロック生成部Ａ４０５は、生成したクロックの通信部４０４への「供給を停止」するが、クロック生成部Ｂ４０７は、生成した複数のクロックを、信号識別部４０２および開閉制御部４０３の「全てに供給」する。そして、クロックを供給されない通信部４０４は、「非動作」の状態となる。
【００５９】
このようにして、本第２の実施形態においても、電源部１００および電源制御部１１０に備えられる各ブロックの出力、状態、または動作が、電源制御処理によって切り替わり、所定電圧電源の供給が「ＯＦＦ」に切り替わったときには、待機時電力を低減する状態を長時間維持することができる。
【００６０】
（第３の実施形態）
次に、図６を用いて、図１で説明した電源部１００および電源制御部１１０に備えられ、電源制御処理および動作制御処理を実行する各ブロックを説明する。
図６は、本第３の実施形態における、電源制御処理および動作制御処理を実行する各ブロックによるシステム構成図である。
本第３の実施形態のシステム構成図は、図２に示した第１の実施形態のシステム構成図に対して、電源制御部１１０が、電源供給部６０７を備えている点で異なる。これ以降では、図２に示したシステム構成図と同様な箇所の説明は省略または簡略化し、主に異なる点について詳細に説明する。
【００６１】
本第３の実施形態に係る電源部１００は、開閉部２１１、電圧変換部２１２、充電制御部２１３、蓄電源２１４などを備えているが、これらのブロックは、図２に示した第１の実施形態の各ブロックと同じ構成であるので詳細な説明は省略する。
【００６２】
また、本第３の実施形態に係る電源制御部１１０は、信号受信部６０１、信号識別部６０２、開閉制御部６０３、通信部６０４、クロック生成部６０５、電源供給部６０７などを備えている。またクロック生成部６０５は、クロック供給部６０６と接続される。
【００６３】
信号受信部６０１、信号識別部６０２、開閉制御部６０３、通信部６０４の構成および動作は、図２に示した信号受信部２０１、信号識別部２０２、開閉制御部２０３、および通信部２０４の構成および動作とほぼ同様であるので、詳細な説明は省略する。
【００６４】
つまり、開閉制御部６０３は、信号受信部６０１が受信するテレビジョン受像機１０の電源制御に関する信号に応じて、信号識別部６０２から入力される識別情報などに基づいて、電源部１００に備えられる開閉部２１１が電源供給経路を開閉するように制御する。また、通信部６０４は、信号処理制御部４０に備えられた制御部（不図示）と通信する。さらに、信号識別部６０２、開閉制御部６０３、および通信部６０４は、クロック生成部６０５から所定のクロックを供給される。
【００６５】
クロック生成部６０５は、クロック供給部６０６から供給されるクロックに基づいて、周波数の分周などの処理を施して所定のクロックを生成して、信号識別部６０２、開閉制御部６０３、および通信部６０４へ供給する。このクロック生成部６０５は、開閉制御部６０３が出力する開閉情報に依拠せずに、所定のクロックを生成して各ブロックへ供給する。
【００６６】
クロック供給部６０６は、水晶やセラミックなどの発振素子を利用した発振回路などにより所定のクロックを生成して、このクロックをクロック生成部６０５へ供給する。なお本第３の実施形態では、クロック供給部６０６は、電源制御部１１０の外部に備えられているが、発振回路の一部が電源制御部１１０の内部に構成される実施形態であってもよい。
【００６７】
電源供給部６０７は、電源部１００に備えられた蓄電源２１４から供給される充電電源を、２つの系統に分離して、電源制御部１１０に備えられた各ブロックへ供給する。また、電源供給部６０７は、開閉制御部６０３から入力される開閉情報に基づいて、２系統のうちの一方の系統の電源の供給／停止を制御する。具体的には、電源供給部６０７は、開閉制御部６０３から電源供給経路を開ける開閉情報を入力された場合、通信部６０４への電源の供給を停止するように制御する。逆に、電源供給部６０７は、開閉制御部６０３から電源供給経路を閉じる開閉情報を入力された場合、通信部６０４へ電源を供給するように制御する。
【００６８】
すなわち、本第３の実施形態においても、電源部１００は、操作機器ＣＤからの信号を受信した電源制御部１１０から入力される開閉情報に基づいて、所定電圧電源の供給のＯＮ／ＯＦＦを切り替える。また、開閉制御部６０３が、開閉部２１１に対して電源供給経路を閉じるように制御する場合、すなわち、所定電圧電源の供給がＯＦＦとなるように制御される場合に、電源制御部１１０は、電源制御部１１０自身に備えられた通信部６０４への電源の供給を停止することで、通信部６０４を非動作とする。
【００６９】
このようなシステムの構成により、本発明の第３の実施形態に係る電源制御部１１０が、電源制御装置として構成されて、電源部１００が供給する各種電源に対する電源制御処理および、電源制御部１１０自身に対する動作制御処理が実行されるので、待機時電力を低減する状態を長時間維持することができる。
【００７０】
次に、図７を用いて、図６で説明した本第３の実施形態における各ブロックによって実行される電源制御処理による、各ブロックの出力、状態、または動作などを説明する。
【００７１】
図７は、図６で説明した本第３の実施形態における各ブロックによって実行される電源制御処理による、各ブロックの出力、状態、または動作などを比較して示す表である。
【００７２】
図７に示す表のように、電源制御処理によって所定電圧電源の供給が「ＯＮ」に切り替えられる場合、開閉制御部６０３から入力される開閉情報に基づいて、開閉部２１１は、電源供給経路を「閉」とする。また、電源部１００は、所定電圧電源および充電電源を、テレビジョン受像機１０の各ブロック「全てに出力」する。さらに、電源供給部６０７は、２つの系統に分離した充電電源を、電源制御部１１０に備えられた各ブロック「全てに供給」する。またクロック生成部６０５は、所定のクロックを電源制御部１１０に備えられた各ブロックに供給する。そして、充電電源および所定のクロックを供給される通信部６０４は、「動作」の状態となる。
【００７３】
一方、電源制御処理によって所定電圧電源の供給がＯＦＦに切り替えられる場合、開閉制御部６０３からから入力される開閉情報に基づいて、開閉部２１１は、電源供給経路を「開」とする。また、電源部１００は、所定電圧電源をテレビジョン受像機１０の各ブロックへ供給されず、具体的には、電源部１００は、所定電圧電源の「信号処理制御部４０への出力を停止」する。さらに、電源供給部６０７は、２つの系統に分離した充電電源を、電源制御部１１０に備えられた全てのブロックへは供給せずに一方の系統の電源の供給を停止、すなわち、「通信部６０４への供給を停止」する。そして、電源を供給されない通信部６０４は、「非動作」の状態となる。
【００７４】
このようにして、本第３の実施形態においても、電源部１００および電源制御部１１０に備えられる各ブロックの出力、状態、または動作が、電源制御処理によって切り替わり、所定電圧電源の供給が「ＯＦＦ」に切り替わったときには、待機時電力を低減する状態を長時間維持することができる。
【００７５】
以上説明したように、第１〜３実施形態に係る発明によれば、電源部１００が、操作機器ＣＤからの信号を受信した電源制御部１１０から入力される開閉情報に基づいて、所定電圧電源の供給のＯＮ／ＯＦＦを切り替える。また、開閉制御部２０３（，４０３，６０３）が、開閉部２１１に対して電源供給経路を閉じるように制御する場合、すなわち、所定電圧電源の供給がＯＦＦとなるように制御される場合に、電源制御部１１０は、電源制御部１１０自身に備えられた通信部２０４（，４０４，６０４）へのクロックまたは電源の供給を停止することで、通信部２０４（，４０４，６０４）を非動作とする。そして、このような処理を実行する電源制御装置である、電源部１００および電源制御部１１０を、テレビジョン受像機１０が備えるので、テレビジョン受像機１０の待機時電力を低減する状態を長時間維持することができる。
【００７６】
また本発明は、上述した実施形態に限定されるものではなく、本発明の要旨を変えない範囲において、種々の変更、改変等が可能である。
【符号の説明】
【００７７】
１０…テレビジョン受像機、２０…放送波処理部、３１…外部機器ＩＦ部、４０…信号処理制御部、５１…操作部、６１…表示器、６２…スピーカ、１００…電源部、１１０…電源制御部、ＣＤ…操作機器、２０１，４０１，６０１…信号受信部、２０２，４０２，６０２…信号識別部、２０３，４０３，６０３…開閉制御部、２０４，４０４，６０４…通信部、２０５，６０５…クロック生成部、４０５…クロック生成部Ａ、４０７…クロック生成部Ｂ、２０６，６０６…クロック供給部、４０６…クロック供給部Ａ、４０８…クロック供給部Ｂ、２１１…開閉部、２１２…電圧変換部、２１３…充電制御部、２１４…蓄電源。
【図１】
2011076135.tif 000003
【図２】
2011076135.tif 000004
【図３】
2011076135.tif 000005
【図４】
2011076135.tif 000006
【図５】
2011076135.tif 000007
【図６】
2011076135.tif 000008
【図７】
2011076135.tif 000009
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
外部から供給される電源に基づいて生成され、信号処理手段に供給される所定電圧の供給電源の供給を制御する電源制御装置であって、
前記供給電源のオン／オフを切り替える信号を遠隔操作機器から受信する受信手段と、
前記受信手段が受信する前記信号に応じて、前記供給電源の供給をオン／オフを切り替える制御手段と、
前記制御手段が前記供給電源の供給をオンに切り替えた場合に動作する前記信号処理手段と通信する通信手段と、
を具備し、
前記制御手段は、前記供給電源がオフの場合には前記通信手段が非動作状態となり、前記供給電源がオンの場合には前記通信手段が動作状態となるように制御することを特徴とする電源制御装置。
【請求項２】
前記供給電源がオフの場合に、前記受信手段および前記制御手段は、前記供給電源がオンのときに当該供給電源の電力に基づいて充電される蓄電源によって動作することを特徴とする請求項１記載の電源制御装置。
【請求項３】
前記制御手段は、前記電源を供給する経路のうち供給元に近い経路であって、前記電源に対して所定の電圧変換がなされる前の経路を開閉して前記供給電源のオン／オフを制御することを特徴とする請求項２記載の電源制御装置。
【請求項４】
前記制御手段は、前記通信手段へのクロックの供給を停止して、前記通信手段が非動作状態となるように制御することを特徴とする請求項２記載の電源制御装置。
【請求項５】
前記制御手段は、前記通信手段への電源供給を停止して、前記通信手段が非動作状態となるように制御することを特徴とする請求項２記載の電源制御装置。
【請求項６】
信号処理手段と、外部から供給される電源に基づいて生成され、前記信号処理手段に供給される所定電圧の供給電源の供給を制御する電源制御装置とを備え、
前記電源制御装置は、
前記供給電源のオン／オフを切り替える信号を遠隔操作機器から受信する受信手段と、
前記受信手段が受信する前記信号に応じて、前記供給電源の供給をオン／オフを切り替える制御手段と、
前記制御手段が前記供給電源の供給をオンに切り替えた場合に動作する前記信号処理手段と通信する通信手段と、
を具備し、
前記制御手段は、前記供給電源がオフの場合には前記通信手段が非動作状態となり、前記供給電源がオンの場合には前記通信手段が動作状態となるように制御することを特徴とする電子機器。
【請求項７】
外部から供給される電源に基づいて生成され、信号処理手段に供給される所定電圧の供給電源の供給を制御する電源制御方法であって、
前記供給電源のオン／オフを切り替える信号を遠隔操作機器から受信し、
受信する前記信号に応じて、前記供給電源の供給をオン／オフを切り替え、
前記供給電源の供給をオンに切り替えた場合に動作する前記信号処理手段と通信し、
前記供給電源がオフの場合には前記通信が非動作状態となり、前記供給電源がオンの場合には前記通信が動作状態となるように制御することを特徴とする電源制御方法。